(57)【要約】　　　（修正有）【課題】時間帯による出玉状況を遊技店側が所望する割合に設定変更可能な遊技機を提供する。【解決手段】停止操作補助付きＢＢ（スーパービッグ）と、停止操作補助なしＢＢ（ノーマルビッグ）との振り分けを行うようにした遊技機において、所定の時刻であったときにＢＢが当選した場合には、必ず停止操作情報を報知するようにし、その時刻の設定を遊技台毎に設定可能にしたことから、遊技店毎に独自のサービスを遊技者に提供することができるようになる。【選択図】　　　図１
2004049461.tif 000002
【特許請求の範囲】
【請求項１】
複数の図柄を変動表示する変動表示手段と、内部当選役を決定する内部当選役決定手段と、前記変動表示手段の変動表示を停止させるための複数の操作手段と、前記内部当選役決定手段の決定結果と前記操作手段の操作とに基づいて前記変動表示手段の変動表示動作を停止制御する停止制御手段と、特別遊技を実行するための特別遊技実行手段と、特別遊技中に停止操作情報を報知する特別遊技中停止操作情報報知手段と、前記特別遊技中停止操作情報報知手段による報知を行うか否かを決定する情報報知実行決定手段とを有する遊技機において、
時刻情報を計測する時計手段と、前記内部当選役決定手段によって特別遊技に対応する内部当選役が決定されたときに、前記時計手段により計測された時刻が所定の時刻であることを条件に、前記報知実行決定手段による決定に拘わらず、特別遊技中に停止操作情報の報知を実行する情報報知強制実行手段と、前記所定の時刻を設定入力するための入力手段とを備えたことを特徴とする遊技機。
【請求項２】
前記停止操作情報には、少なくとも停止制御手段の操作順序を含むことを特徴とする請求項１に記載される遊技機。
【請求項３】
前記遊技機はスロットマシンまたは弾球式遊技機であることを特徴とする請求項１又は２に記載される遊技機。
【発明の詳細な説明】
【０００１】
【発明の属する技術分野】
本発明は、遊技に必要な図柄を変動表示する変動表示手段と、その変動表示を制御するマイクロコンピュータ等の制御手段とを備えたスロットマシン、パチンコ機、その他の遊技機に関するものである。
【０００２】
【従来の技術】
従来、このような遊技機として、例えば、停止ボタンを備えたスロットマシン、いわゆるパチスロ遊技機が知られている。一般的に、このパチスロは、正面の表示窓内に複数の図柄を変動表示する回転リールを複数配列して構成した機械的変動表示装置やリール上の図柄を画面に表示する電気的変動表示装置を有しており、この変動表示装置に所定の図柄組合せを揃えることにより行われるものである。
【０００３】
このパチスロ機の遊技は、まず、遊技者の遊技媒体（メダルまたはコイン等）の投入によって開始される。そして、遊技者のスタート操作に応じて、制御手段が変動表示装置を駆動制御して各リールを回転させることにより、図柄を変動表示させる。変動した図柄は、一定時間後自動的に、あるいは遊技者の停止操作により、各リールの回転を順次停止させる。このとき、表示窓内に現れた各リールの図柄が特定の組合せ（入賞図柄）になった場合には、遊技媒体を払い出すことによって遊技者に利益を付与する。
【０００４】
このようなパチスロ遊技機は、複数種類の入賞態様を有している。特に、所定の入賞役の入賞が成立したときは、１回のメダルの払い出しに終わらず、所定期間、通常の状態よりも条件の良い遊技状態となるものがある。このような入賞役として、遊技者に相対的に大きな利益を与えるゲームを所定回数行える入賞役（「ビッグボーナス」と称し、以下「ＢＢ」と表す）と、遊技者に相対的に小さな利益を与えるゲームを所定回数行える入賞役（「レギュラーボーナス」と称し、以下「ＲＢ」と表す）がある。
【０００５】
また、パチスロ遊技機においては、有効化された入賞ライン（以下「有効ライン」という）に沿って停止表示される図柄の組合せは、内部的な抽選処理（以下「内部抽選」という）を行い、この抽選結果と、遊技者の停止操作タイミングとに基づいて決定されている。つまり、メダル、コイン等が払い出される入賞が成立するためには、上述の内部的な抽選処理により入賞役に当選（以下「内部当選」という）し、かつその内部当選した入賞役（以下「内部当選役」という）の入賞成立を示す図柄組合せを有効ラインに停止できるタイミングで遊技者が停止操作を行うことが要求される。つまり、いくら内部当選したとしても、遊技者の停止操作のタイミングが悪いと入賞を成立させることができない。すなわち、停止操作をタイミングよく行う技術が要求される（「目押し」といわれる技術介入性の比重が高い）遊技機が現在の主流である。
【０００６】
このような遊技機の一つの機能として、払い出し枚数が同数の複数種類の特定入賞役のいずれかに内部当選したとき、どの入賞役に内部当選したかを報知し、目押しができることを条件として入賞を可能にする機能や、同一の内部当選役に対して、停止ボタンの押し順によって入賞する押し順と、入賞しない押し順を設けておき、入賞する押し順を報知することによって入賞を可能にする機能が知られている。このような報知をＢＢ中に行うことによって、報知を行わないＢＢ（ノーマルビッグ）よりも多くのメダルを獲得することのできる停止操作補助付きＢＢ（スーパービッグ）が知られている。
【０００７】
【発明が解決しようとする課題】
ところで、上述の遊技機においては、ビッグボーナス中に停止操作の補助が行われるか否か、つまりスーパービッグかノーマルビッグか否かを、例えば毎ゲーム抽選により決定する等、どのような時間帯においても同一の条件で決定されていた。
【０００８】
遊技店側としては、多くの遊技者が来店する時間帯に多くのメダルを出すことにより、遊技者に対するサービスを実施するという目的と、いかにも多くのメダルを出しているように見せかけるという目的とを果たしたいという要求がある。また逆に、それ以外の時間帯にはメダルをあまり出したくないという要求がある。そして、遊技者にとっても、多くの遊技者が集まる状況の中で多くのメダルを出すことで、他の遊技者に自慢したいという思いがある。
【０００９】
そこで、時間帯によってスーパービッグの突入率を変えることが提案されているが、混雑する時間等を想定して、予め設定して出荷したとしても、遊技機が設置される場所などによって、遊技者の技術レベル、稼働率、稼働時間等が異なることから、遊技機毎に想定される状況に合わせて設定できるようにする必要がある。しかしながら、従来の遊技機はこのような要求に応えることができなかった。
【００１０】
本発明の目的は、時間帯による出玉状況を遊技店側が所望する割合に設定変更可能な遊技機を提供することである。
【００１１】
【課題を解決するための手段】
本発明はこのような課題を解決するためになされたもので、複数の図柄を変動表示する変動表示手段と、内部当選役を決定する内部当選役決定手段と、前記変動表示手段の変動表示を停止させるための複数の操作手段と、前記内部当選役決定手段の決定結果と前記操作手段の操作とに基づいて前記変動表示手段の変動表示動作を停止制御する停止制御手段と、特別遊技を実行するための特別遊技実行手段と、特別遊技中に停止操作情報を報知する特別遊技中停止操作情報報知手段と、前記特別遊技中停止操作情報報知手段による報知を行うか否かを決定する情報報知実行決定手段とを有する遊技機において、時刻情報を計測する時計手段と、前記内部当選役決定手段によって特別遊技に対応する内部当選役が決定されたときに、前記時計手段により計測された時刻が所定の時刻であることを条件に、前記報知実行決定手段による決定に拘わらず、特別遊技中に停止操作情報の報知を実行する情報報知強制実行手段と、前記所定の時刻を設定入力するための入力手段とを備えたことを特徴とするものである。
【００１２】
このような構成によれば、停止操作補助付きＢＢ（スーパービッグ）と、停止操作補助無しＢＢ（ノーマルビッグ）との振り分けを行うようにした遊技機において、所定の時刻であったときにＢＢが当選した場合には、必ず停止操作情報を報知するようにし、その時刻の設定を遊技台毎に設定可能にしたことから、遊技店側の要求に対応するように予め所望の時刻に設定しておくことで、遊技店毎に独自のサービスを遊技者に提供することができるようになる。
【００１３】
また、本発明は、内部当選役決定手段において決定された内部当選役を入賞させるために必要な情報には、少なくとも停止制御手段の操作順序を含むことを特徴とするものである。このような構成によれば、いわゆる目押しをすることができない初心者であっても所定の操作順序に従って遊技を進めれば多くの遊技媒体を獲得することができるようになる。
【００１４】
【発明の実施の形態】
図１は、本発明の一実施例の遊技機１の外観を示す斜視図であり、図２は、同じく遊技機１の正面図である。遊技機１は、いわゆる「パチスロ機」である。この遊技機１は、コイン、メダル又はトークンなどの他、遊技者に付与された、もしくは付与される遊技価値の情報を記憶したカード等の遊技媒体を用いて遊技することが可能な遊技機であるが、以下ではメダルを用いるものとして説明する。
【００１５】
遊技機１の全体を形成しているキャビネット２の正面には、略垂直面としてのパネル表示部２ａが形成され、その中央には縦長矩形の表示窓４Ｌ、４Ｃ、４Ｒが設けられる。表示窓４Ｌ、４Ｃ、４Ｒには、入賞ラインとして水平方向にセンターライン８ａ、トップライン８ｂ及びボトムライン８ｃ、斜め方向にクロスダウンライン８ｄ及びクロスアップライン８ｅが設けられている。これらの入賞ラインは、後述の１−ＢＥＴスイッチ１１、２−ＢＥＴスイッチ１２、最大−ＢＥＴスイッチ１３を操作すること、或いはメダル投入口２２にメダルを投入することにより、それぞれ１本、３本、５本が有効化される。どの入賞ラインが有効化されたかは、後で説明するＢＥＴランプ９ａ、９ｂ、９ｃの点灯で表示される。
【００１６】
キャビネット２の内部には、各々の外周面に複数種類の図柄によって構成される図柄列が描かれた３個のリール３Ｌ、３Ｃ、３Ｒが回転自在に横一列に設けられ、変動表示手段を形成している。各リールの図柄は表示窓４Ｌ、４Ｃ、４Ｒを通して観察できるようになっている。各リールは、定速回転（例えば８０回転／分）で回転する。
【００１７】
表示窓４Ｌ、４Ｃ、４Ｒの左側には、１−ＢＥＴランプ９ａ、２−ＢＥＴランプ９ｂ、最大ＢＥＴランプ９ｃ、遊技メダル貯留枚数表示部１９が設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。ここで、本実施例では、一のゲームは、全てのリールが停止したとき、若しくは遊技媒体の払い出しが行われる場合には、遊技媒体が払い出されたときに終了する。１−ＢＥＴランプ９ａは、ＢＥＴ数が“１”で１本の入賞ラインが有効化されたときに点灯する。２−ＢＥＴランプ９ｂは、ＢＥＴ数が“２”で３本の入賞ラインが有効化されたときに点灯する。最大ＢＥＴランプ９ｃは、ＢＥＴ数が“３”で全て（５本）の入賞ラインが有効化されたときに点灯する。遊技開始表示ランプは、少なくとも１本のラインが有効化されたときに点灯する。遊技メダル貯留枚数表示部１９は、７セグメントＬＥＤから成り、貯留されているメダルの枚数を表示する。
【００１８】
表示窓４Ｌ、４Ｃ、４Ｒの右側には、ＷＩＮランプ１７、払い出し表示部１８及び遊技メダル投入ランプ２４が設けられる。ＷＩＮランプ１７は、ＢＢ又はＲＢに内部当選した場合に所定確率で点灯し、また、ＢＢ又はＲＢの入賞が成立した場合にも点灯する。払い出し表示部１８は、７セグメントＬＥＤから成り、入賞成立時のメダルの払い出し枚数を表示する。遊技メダル投入ランプ２４は、遊技メダルの投入が受け付け可能なときに点滅する。
【００１９】
パネル表示部２ａの右側上部には、役物作動回数表示部２０が設けられる。役物作動回数表示部２０は、７セグメントＬＥＤから成り、後で説明するＲＢゲーム可能回数及びＲＢゲーム入賞可能回数等を表示する。表示窓４Ｌ、４Ｃ、４Ｒの下方には水平面の台座部１０が形成され、その台座部１０と表示窓４Ｌ、４Ｃ、４Ｒとの間には液晶表示装置５が設けられている。この液晶表示装置５の表示画面５ａには、スーパービッグ中に「ベルの小役」が内部当選したとき、その入賞成立を実現するために必要な「停止順序」が表示される。
【００２０】
パネル表示部２ａの左側上方位置に、遊技停止表示器３１、再遊技表示器３２、ＲＢ作動表示器３３、ＢＢ作動表示器３４が設けられている。遊技停止表示器３１は前回の回胴回転から今回の回胴回転までの時間が所定の時間（実施例では４．１秒）未満のときに点灯する。再遊技表示器３２は再遊技が作動したときに点灯する。ＲＢ作動表示器３３はＲＢ作動中に点灯し、ＢＢ作動表示器３４はＢＢ作動中に点灯する。
【００２１】
液晶表示装置５の右側にはメダル投入口２２が設けられ、液晶表示装置５の左下位置には、１−ＢＥＴスイッチ１１、２−ＢＥＴスイッチ１２、および最大ＢＥＴスイッチ１３が設けられる。また、液晶表示装置５の左上位置には、十字ボタン２６、○ボタン２７、×ボタン２８が設けられる。
【００２２】
１−ＢＥＴスイッチ１１は、１回の押し操作によりクレジットされているメダルのうちの１枚がゲームに賭けられ、２−ＢＥＴスイッチ１２は、１回の押し操作によりクレジットされているメダルのうちの２枚がゲームに賭けられ、最大ＢＥＴスイッチ１３は、１回の押し操作により１回のゲームに賭けることが可能な最大枚数のメダルが賭けられる。これらのＢＥＴスイッチを操作することで、前述のとおり、所定の入賞ラインが有効化される。
【００２３】
そして、十字ボタン２６、○ボタン２７、×ボタン２８を操作することによって、液晶表示画面５ａの切替及び入力を行うことができる。
【００２４】
台座部１０の前面部の左寄りには、遊技者がゲームで獲得したメダルのクレジット／払い出しを押しボタン操作で切り替える貯留メダル精算スイッチ１４が設けられている。この貯留メダル精算スイッチ１４の切り替えにより、正面下部の遊技メダル払出口１５からメダルが払い出され、払い出されたメダルは遊技メダル受け部１６に溜められる。貯留メダル精算スイッチ１４の右側には、遊技者の操作により上記リールを回転させ、表示窓４Ｌ、４Ｃ、４Ｒ内での図柄の変動表示を開始（ゲームを開始）するためのスタートレバー６が所定の角度範囲で回動自在に取り付けられている。
【００２５】
台座部１０の前面部の右寄りには、ドア開閉および打ち止め解除装置２９が設けられており、このドア開閉および打ち止め解除装置２９は、所定の鍵を用いて、右に回すことにより前面ドアの開閉を行い、左に回すことにより打ち止めの解除を行う。
【００２６】
キャビネット２の上方の左右には、スピーカ２１Ｌ、２１Ｒが設けられ、その２台のスピーカ２１Ｌ、２１Ｒの間には、入賞図柄の組合せ及びメダルの配当枚数等を表示する配当表パネル２３が設けられている。台座部１０の前面部中央で、液晶表示装置５の下方位置には、３個のリール３Ｌ、３Ｃ、３Ｒの回転をそれぞれ停止させるための３個の停止ボタン７Ｌ、７Ｃ、７Ｒが設けられている。
【００２７】
ここで、本実施例では、全てのリールが回転しているときに行われる停止操作を「第１停止操作」、次に行われる停止操作を「第２停止操作」、「第２停止操作」の後に行われる停止操作を「第３停止操作」という。また、「第１停止操作」として左の停止ボタン７Ｌを操作することを「順押し」という。「第１停止操作」として中央の停止ボタン７Ｃを操作することを「中押し」という。「第１停止操作」として右の停止ボタン７Ｒを操作することを「逆押し」という。
【００２８】
実施例の遊技機１には、３つの停止ボタン７Ｌ、７Ｃ、７Ｒが設けられているので、これらの操作順序は“６種類”ある。そこで、これらの操作順序を次のように区別する。左の停止ボタン７Ｌを「左」、中央の停止ボタン７Ｃを「中」、右の停止ボタン７Ｒを「右」と略記する。そして、停止順序を示すとき、各停止ボタン７Ｌ、７Ｃ、７Ｒの略を、停止操作された順番で左から並べることとする。例えば、「第１停止操作」として左の停止ボタン７Ｌ、「第２停止操作」として中央の停止ボタン７Ｃ、「第３停止操作」として右の停止ボタン７Ｒが操作されたとき、停止順序を「左中右」と示す。なお、実施例の停止順序には、「左中右」、「左右中」、「中左右」、「中右左」、「右左中」及び「右中左」の“６種類”がある。
【００２９】
図５は、各リール３Ｌ、３Ｃ、３Ｒに表された複数種類の図柄が２１個配列された図柄列を示している。各図柄には“００”〜“２０”のコードナンバーが付され、データテーブルとして後で説明するＲＯＭ３２に格納されている。各リール３Ｌ、３Ｃ、３Ｒ上には、「青７」、「赤７」、「ＢＡＲ」、「ベル」、「プラム」、「リプレイ（Ｒｅｐｌａｙ）」及び「チェリー」の図柄で構成される図柄列が表されている。各リール３Ｌ、３Ｃ、３Ｒは、図柄列が矢印方向に移動するように回転駆動される。
【００３０】
図６に示した表は、各遊技状態における入賞図柄組合せに対応する入賞役及び払い出し枚数を示したものである。
【００３１】
遊技状態は、一般遊技状態（この状態にあることを「一般遊技中」とも表現する）、ＢＢ中一般遊技状態（この状態にあることを「ＢＢ作動中」とも表現する）、ＲＢ遊技状態（この状態にあることを「ＲＢ作動中」とも表現する）の３つ状態に区分している。通常、一般遊技状態にあることを「一般遊技中」と、ＢＢ中一般遊技状態にあることを「ＢＢ作動中」と、ＲＢ遊技状態にあることを「ＲＢ作動中」と表現する。
【００３２】
また、一般遊技状態をＢＢ又はＲＢに内部当選しているか否かによって更に区分することもあるが、内部当選する可能性のある入賞役については同様であることから、この表における区分は表中の３状態で区分している。
【００３３】
なお、内部当選する可能性のある入賞役の種類は、いわゆる確率抽選テーブル（確率抽選テーブルについては後述する）によって定まるものであり、この確率抽選テーブルは、各遊技状態毎に設けられている。すなわち、同一の遊技状態のゲームでは、内部当選する可能性のある役の種類が同一となる。
【００３４】
図６に示すように、一般遊技状態において、有効ラインに沿って「青７−青７−青７」、又は「赤７−赤７−赤７」が並んだときは、ＢＢの入賞が成立し、１５枚のメダルが払い出されると共に、次のゲームの遊技状態が「ＢＢ遊技状態」となる。
【００３５】
「ＲＢ遊技状態」は、「一般遊技状態」において、有効ラインに沿って並んだ図柄の組合せが「ＢＡＲ−ＢＡＲ−ＢＡＲ」であるとき、又は「ＢＢ中一般遊技状態」において、有効ラインに沿って並んだ図柄の組合せが「Ｒｅｐｌａｙ−Ｒｅｐｌａｙ−Ｒｅｐｌａｙ」であるとき（いわゆる「ＪＡＣ　ＩＮ」）に発生し、１５枚のメダルが払い出される。「一般遊技状態」から始まるＲＢを通常ＲＢ、「ＢＢ中一般遊技状態」から始まるＲＢをＢＢ中のＲＢと区別する場合もある。
【００３６】
「ＲＢ遊技状態」は、メダルを１枚賭けることにより所定の図柄組合せ「Ｒｅｐｌａｙ−Ｒｅｐｌａｙ−Ｒｅｐｌａｙ」が揃い、１５枚のメダルを獲得できる役物に当たりやすい遊技状態である。１回の「ＲＢ遊技状態」において遊技可能な最大のゲーム回数（これを「ＲＢゲーム可能回数」という）は、１２回である。また、このＲＢ遊技状態において、入賞できる回数（これを「ＲＢゲーム入賞可能回数」という）は、８回までである。すなわち、この「ＲＢ遊技状態」は、ゲーム回数が１２回に達するか、又は入賞回数が８回に達した場合に終了する。そして、ＲＢ遊技状態が終了すると、一般遊技状態に移行する。
【００３７】
一回のＢＢは、ＢＢ中一般遊技状態を３０ゲーム遊技した場合、もしくはＲＢ遊技状態に３回移行し、３回目のＲＢが終了したところで終了する。そして、ＢＢ遊技状態が終了すると、一般遊技状態に移行する。
【００３８】
一般遊技状態において、有効ラインに沿って並んだ図柄の組合せが「Ｒｅｐｌａｙ−Ｒｅｐｌａｙ−Ｒｅｐｌａｙ」であるときは、再遊技の入賞が成立する。再遊技の入賞が成立すると、投入したメダルの枚数と同数のメダルが自動投入されるので、遊技者は、メダルを消費することなく遊技を行うことができる。
【００３９】
一般遊技状態又はＢＢ中一般遊技状態において、有効ラインに沿って図柄組合せ「ベル−ベル−ベル」が並ぶことにより、「ベルの小役」の入賞が成立する。「ベルの小役」に内部当選したとき、入賞が成立するか否かは、後述のテーブル番号と、遊技者の停止ボタン７Ｌ、７Ｃ、７Ｒの停止順序により決定される。具体的には、“６種類”の停止順序のうち、テーブル番号に対応した一の停止順序で停止操作を行った場合にのみ、ベル−ベル−ベル”が有効ラインに沿って並び、ベルの小役の入賞が成立する。その他の“５種類”の停止順序のいずれかで停止操作を行った場合には、ベルの小役の入賞が不成立となる。
【００４０】
また、一般遊技状態及びＢＢ中一般遊技状態では、「プラムの小役」や「チェリーの小役」等の入賞成立を実現することが可能であるが、その払い出し枚数は図示のとおりである。
【００４１】
「ベルの小役」に内部当選したとき、その入賞成立が実現することとなる停止操作情報として「停止順序」が報知される場合がある。「ベルの小役」に内部当選したとき、この停止操作情報に従って操作すれば、確実に入賞成立を実現することができる。本実施例では、この停止操作情報の報知を行うＢＢをスーパービッグ、停止操作情報の報知を行わないＢＢをノーマルビッグとしている。スーパービッグの場合には、「ベル」が内部当選すれば確実に入賞させられることから、ノーマルビッグに比べて大量のメダルを獲得することができる。
【００４２】
次に、図７を参照して、スーパービッグ中に「ベルの小役」が内部当選した場合に表示画面５ａに表示される画像（停止順序を報知する画像）について説明する。この図７では、入賞させるために必要な停止順序が左右中の場合で説明している。
【００４３】
図７（１）は、ゲーム開始時に表示される画像を示したものである。画像の左側の表示領域にベルの図柄が表され、「ベルの小役」に内部当選したことが示されている。そして更に、このベルの図柄の下方に、「＝ＬＥＦＴ＝　ＰＵＳＨ！」というメッセージが表示され、入賞させるために必要な停止操作が、第１停止操作として左の停止ボタン７Ｌを操作するべきことを報知している。
【００４４】
図７（２）は、第１停止操作が行われた後に表示される画像を示す。画像の右側の図柄表示領域にベルの図柄が表され、このベルの図柄の下方に、「＝ＲＩＧＨＴ＝　ＰＵＳＨ！」と表示され、第２停止操作として右の停止ボタン７Ｒを操作するべきことを報知している。
【００４５】
図７（３）は、第２停止操作が行われた後に表示される画像を示す。画像の中央の図柄表示領域にベルの図柄が表され、このベルの図柄の下方に、「＝ＣＥＮＴＥＲ＝　ＰＵＳＨ！」と表示され、第３停止操作として中央の停止ボタン７Ｃを操作するべきことを報知している。表示画面５ａの表示内容に応じた第１、第２停止操作を行った場合には、第３停止操作の後、「ベル−ベル−ベル」が有効ラインに沿って並び、ベルの小役の入賞が成立するようになっている。
【００４６】
なお、図７では、「停止順序」を報知する態様として、次に操作するべき停止ボタンを順次報知するようにしているが、ゲーム開始時において全ての「停止順序」を一括して報知するようにしても良い。例えば、表示画面５ａに「停止順序」として「左右中」のように表示することもできる。
【００４７】
図８は、ホールサポートメニューについて示した図である。この画面は、設定変更を行っているときに、表示画面５ａに表示されるものである。つまり、設定変更機能はホール（遊技店）の者しか行えないようになっていることから、このホールサポートメニューもホールの者しか行えないようになっている。このホールサポートメニューとは、後述する副制御回路で行われる種々の制御に関する設定を行えるものであり、設定可能な制御が各種メニューとして表示されるものである。ホールの者は、十字ボタン２６、○ボタン２７、×ボタン２８を操作することによって、複数のメニューの中から一のメニューを選択し、選択したメニューの設定を行うことができる。
【００４８】
図９は、サービス時間設定の一画面であり、ホールサポートメニューに含まれる一のメニューである。このサービス時間設定によってサービスを実施する時間を設定することができる。これによって、サービス設定に該当する時刻に、ＢＢに入賞した場合やＢＢに内部当選した場合に、そのＢＢを強制的にスーパービッグにすることができる。また、複数のサービス時間を設定可能にし、更に有効／無効の切替機能を設けて、この有効／無効の切替を行うことで、サービス時間設定を簡略化し、サービス時間設定の手間を省けるようにしている。
【００４９】
図３は、遊技機１における遊技処理動作を制御する主制御回路８１と、主制御回路８１に電気的に接続する周辺装置（アクチュエータ）と、主制御回路８１から送信される制御指令に基づいて液晶表示装置５及びスピーカ２１Ｌ、２１Ｒを制御する副制御回路８２とを含む回路構成を示す。
【００５０】
主制御回路８１は、回路基板上に配置されたマイクロコンピュータ４０を主たる構成要素とし、これに乱数サンプリングのための回路を加えて構成されている。マイクロコンピュータ４０は、予め設定されたプログラムに従って制御動作を行うＣＰＵ４１と、記憶手段であるＲＯＭ４２及びＲＡＭ４３を含む。
【００５１】
ＣＰＵ４１には、基準クロックパルスを発生するクロックパルス発生回路４４及び分周器４５と、サンプリングされる乱数を発生する乱数発生器４６及びサンプリング回路４７とが接続されている。なお、乱数サンプリングのための手段として、マイクロコンピュータ４０内で、すなわちＣＰＵ４１の動作プログラム上で乱数サンプリングを実行するように構成しても良い。その場合、乱数発生器４６及びサンプリング回路４７は省略可能であり、或いは、乱数サンプリング動作のバックアップ用として残しておくことも可能である。
【００５２】
マイクロコンピュータ４０のＲＯＭ４２には、スタートレバー６を操作（スタート操作）する毎に行われる乱数サンプリングの判定に用いられる確率抽選テーブル、停止ボタンの操作に応じてリールの停止態様を決定するための停止制御テーブル、副制御回路８２へ送信するための各種制御指令（コマンド）等が格納されている。このコマンドには、「デモ表示コマンド」、「スタートコマンド」、「ボーナス遊技状態変更指示コマンド」、「入賞役コマンド」等がある。これらのコマンドについては後で説明する。なお、副制御回路８２が主制御回路８１へコマンド、情報等を入力することはなく、主制御回路８１から副制御回路８２への一方向で通信が行われる。
【００５３】
図３の回路において、マイクロコンピュータ４０からの制御信号により動作が制御される主要なアクチュエータとしては、各種ランプ（１−ＢＥＴランプ９ａ、２−ＢＥＴランプ９ｂ、最大ＢＥＴランプ９ｃ、ＷＩＮランプ１７）と、各種表示部（払い出し表示部１８、遊技メダル貯留枚数表示部１９、役物作動回数表示部２０）と、メダルを収納し、ホッパー駆動回路５１の命令により所定枚数のメダルを払い出す遊技価値付与手段としてのホッパー（払い出しのための駆動部を含む）５０と、リール３Ｌ、３Ｃ、３Ｒを回転駆動するステッピングモータ５９Ｌ、５９Ｃ、５９Ｒとがある。
【００５４】
更に、ステッピングモータ５９Ｌ、５９Ｃ、５９Ｒを駆動制御するモータ駆動回路５９、ホッパー５０を駆動制御するホッパー駆動回路５１、各種ランプを駆動制御するランプ駆動回路５５、及び各種表示部を駆動制御する表示部駆動回路５８がＩ／Ｏポート４８を介してＣＰＵ４１の出力部に接続されている。これらの駆動回路は、それぞれＣＰＵ４１から出力される駆動指令などの制御信号を受けて、各アクチュエータの動作を制御する。
【００５５】
また、マイクロコンピュータ４０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、貯留メダル精算スイッチ１４、投入メダルセンサ２２Ｓ、リール停止信号回路５６、リール位置検出回路６０、払い出し完了信号回路６１がある。これらも、Ｉ／Ｏポート４８を介してＣＰＵ４１に接続されている。
【００５６】
スタートスイッチ６Ｓは、スタートレバー６の操作を検出する。投入メダルセンサ２２Ｓは、メダル投入口２２に投入されたメダルを検出する。リール停止信号回路５６は、各停止ボタン７Ｌ、７Ｃ、７Ｒの操作に応じて停止信号を発生する。リール位置検出回路６０は、リール回転センサからのパルス信号を受けて各リール３Ｌ、３Ｃ、３Ｒの位置を検出するための信号をＣＰＵ４１へ供給する。払い出し完了信号回路６１は、メダル検出部５０Ｓの計数値（ホッパー５０から払い出されたメダルの枚数）が指定された枚数データに達したとき、メダル払い出し完了を検知するための信号を発生する。
【００５７】
図３の回路において、乱数発生器４６は、一定の数値範囲に属する乱数を発生し、サンプリング回路４７は、スタートレバー６が操作された後の適宜のタイミングで１個の乱数をサンプリングする。こうしてサンプリングされた乱数及びＲＯＭ４２内に格納されている確率抽選テーブルに基づいて、内部当選役が決定される。内部当選役が決定された後、「停止制御テーブル」を選択するために再び乱数のサンプリングが行われる。
【００５８】
リール３Ｌ、３Ｃ、３Ｒの回転が開始された後、ステッピングモータ５９Ｌ、５９Ｃ、５９Ｒの各々に供給される駆動パルスの数が計数され、その計数値はＲＡＭ４３の所定エリアに書き込まれる。リール３Ｌ、３Ｃ、３Ｒからは一回転毎にリセットパルスが得られ、これらのパルスはリール位置検出回路６０を介してＣＰＵ４１に入力される。こうして得られたリセットパルスにより、ＲＡＭ４３で計数されている駆動パルスの計数値が“０”にクリアされる。これにより、ＲＡＭ４３内には、各リール３Ｌ、３Ｃ、３Ｒについて一回転の範囲内における回転位置に対応した計数値が格納される。
【００５９】
上記のようなリール３Ｌ、３Ｃ、３Ｒの回転位置とリール外周面上に描かれた図柄とを対応づけるために、図柄テーブルが、ＲＯＭ４２内に格納されている。この図柄テーブルでは、前述したリセットパルスが発生する回転位置を基準として、各リール３Ｌ、３Ｃ、３Ｒの一定の回転ピッチ毎に順次付与されるコードナンバーと、それぞれのコードナンバー毎に対応して設けられた図柄を示す図柄コードとが対応づけられている。
【００６０】
更に、ＲＯＭ４２内には、入賞図柄組合せテーブルが格納されている。この入賞図柄組合せテーブルでは、入賞となる図柄の組合せと、入賞のメダル配当枚数と、その入賞を表す入賞判定コードとが対応づけられている。上記の入賞図柄組合せテーブルは、左のリール３Ｌ、中央のリール３Ｃ、右のリール３Ｒの停止制御時、及び全リール停止後の入賞確認を行うときに参照される。
【００６１】
上記乱数サンプリングに基づく抽選処理（確率抽選処理）により内部当選した場合には、ＣＰＵ４１は、遊技者が停止ボタン７Ｌ、７Ｃ、７Ｒを操作したタイミングでリール停止信号回路５６から送られる操作信号、及び選択された「停止制御テーブル」に基づいて、リール３Ｌ、３Ｃ、３Ｒを停止制御する信号をモータ駆動回路４９に送る。
【００６２】
内部当選した役の入賞成立を示す停止態様となれば、ＣＰＵ４１は、払い出し指令信号をホッパー駆動回路５１に供給してホッパー５０から所定個数のメダルの払い出しを行う。その際、メダル検出部５０Ｓは、ホッパー５０から払い出されるメダルの枚数を計数し、その計数値が指定された数に達したときに、メダル払い出し完了信号がＣＰＵ４１に入力される。これにより、ＣＰＵ４１は、ホッパー駆動回路５１を介してホッパー５０の駆動を停止し、「メダルの払い出し処理」を終了する。
【００６３】
図４のブロック図は、副制御回路８２の構成を示す。副制御回路８２は、主制御回路８１からの制御指令（コマンド）に基づいて液晶表示装置５の表示制御及びスピーカ２１Ｌ、２１Ｒからの音の出力制御を行う。この副制御回路８２は、主制御回路８１を構成する回路基板とは別の回路基板上に構成され、マイクロコンピュータ（以下「サブマイクロコンピュータ」という）８３を主たる構成要素とし、液晶表示装置５の表示制御手段としての画像制御回路９１、スピーカ２１Ｌ、２１Ｒにより出音される音を制御する音源ＩＣ８８、及び増幅器としてのパワーアンプ８９で構成されている。
【００６４】
サブマイクロコンピュータ８３は、主制御回路８１から送信された制御指令に従って制御動作を行うサブＣＰＵ８４と、記憶手段としてのプログラムＲＯＭ８５と、ワークＲＡＭ８６とを含む。副制御回路８２は、クロックパルス発生回路、分周器、乱数発生器及びサンプリング回路を備えていないが、サブＣＰＵ８４の動作プログラム上で乱数サンプリングを実行するように構成されている。
【００６５】
プログラムＲＯＭ８５は、サブＣＰＵ８４で実行する制御プログラムを格納する。ワークＲＡＭ８６は、上記制御プログラムをサブＣＰＵ８４で実行するときの一時記憶手段として構成される。
【００６６】
画像制御回路９１は、画像制御ＣＰＵ９２、画像制御ワークＲＡＭ９３、画像制御プログラムＲＯＭ９４、画像ＲＯＭ９６、ビデオＲＡＭ９７及び画像制御ＩＣ９８で構成される。画像制御ＣＰＵ９２は、サブマイクロコンピュータ８３で設定されたパラメータに基づき、画像制御プログラムＲＯＭ９４内に格納する画像制御プログラムに従って液晶表示装置５での表示内容を決定する。画像制御プログラムＲＯＭ９４は、液晶表示装置５での表示に関する画像制御プログラムや各種選択テーブルを格納する。画像制御ワークＲＡＭ９３は、上記画像制御プログラムを画像制御ＣＰＵ９２で実行するときの一時記憶手段として構成される。画像制御ＩＣ９８は、画像制御ＣＰＵ９２で決定された表示内容に応じた画像を形成し、液晶表示装置５に出力する。画像ＲＯＭ９６は、画像を形成するためのドットデータを格納する。ビデオＲＡＭ９７は、画像制御ＩＣ９８で画像を形成するときの一時記憶手段として構成される。
【００６７】
次に、図１０を参照して、確率抽選テーブルについて説明する。
【００６８】
これらの確率抽選テーブルは、確率抽選処理において参照されるものである、図１０（ａ）は一般遊技中において使用されるものであり、図１０（ｂ）はＢＢ中一般遊技中において使用されるものであり、各ゲームの内部当選役を決定するものである。
【００６９】
いずれのテーブルもその乱数範囲は０〜１６３８３であり、この範囲にある数値から抽出される一の数値を用いて、内部当選役が決定される。例えば、一般遊技中において、抽出された乱数値が２８５１の場合、このゲームの内部当選役は「ベル」となる。また、一般遊技中において、抽出された乱数値が１１０３６〜１６３８３の場合には、そのゲームの内部当選役は「ハズレ」となる。
【００７０】
次に、図１１〜図１５を参照して、ベルの小役に内部当選したときに使用される停止制御テーブルについて説明する。
【００７１】
図１１に示した「停止制御テーブルナンバー選択テーブル」は、ベルの小役が内部当選した場合に、各リール３Ｌ、３Ｃ、３Ｒを停止制御する際に参照するテーブルを決定するものである。つまり、ベルの小役が内部当選した場合には、６通りの停止制御テーブルのいずれか一つを参照してそれに基づいて停止制御が行われる。
【００７２】
図１２は、図１１で選択された各テーブルにおける各リール３Ｌ、３Ｃ、３Ｒの停止制御順序と、入賞の成立不成立との関係を示したものである。例えば、図１１の停止制御テーブルナンバー選択テーブルによって選択されたテーブル番号がテーブル番号１の場合、停止順序が「左中右」であればベルが入賞することとなる。しかしながら、それ以外の停止順序であればベルは入賞しないようになっている。すなわち、ベルを入賞させるためには、内部当選役がベルであり、かつ各リール３Ｌ、３Ｃ、３Ｒの停止制御順序がテーブル番号に対応した停止順序を行う必要がある。
【００７３】
図１３〜図１５は、内部当選役がベルの場合の各リール３Ｌ、３Ｃ、３Ｒの具体的な停止制御について説明する。
【００７４】
「停止制御テーブル」には、各リール３Ｌ、３Ｃ、３Ｒの「停止操作位置」と「停止制御位置」とが示されている。「停止操作位置」は、各リール３Ｌ、３Ｃ、３Ｒに対応して設けられた停止ボタン７Ｌ、７Ｃ、７Ｒが操作されたとき、センターライン８ａに位置していた図柄（具体的には、図柄の中心がセンターライン８ａの上方に位置し、その中心がセンターライン８ａの位置に最も近い図柄）のコードナンバーを表す。「停止制御位置」とは、停止操作が行われたリールが停止したとき、センターライン８ａの位置に停止表示される図柄のコードナンバーを表す。ここで、本実施例では、いわゆる「滑りコマ数」を最大“４コマ”としている。例えば、右のリール３Ｒの回転中において、コードナンバー“１２”の「チェリー」がセンターライン８ａの位置に到達したとき、停止ボタン７Ｒが操作された場合、コードナンバー“０８”の「青７」をセンターライン８ａの位置に停止表示するように右のリール３Ｒを停止制御することができる。
【００７５】
図１３は、当り用停止制御テーブルを示す。このテーブルは、「ベルの小役」に内部当選した後、「ベル−ベル−ベル」が有効ラインに沿って並び、ベルの小役の入賞が成立するようにリールを停止制御する際に使用される。
【００７６】
図１３において、左のリール３Ｌの「停止制御位置」は、コードナンバー“０３”、“０８”、“１１”、“１５”又は“１９”のいずれかであり、これらに対応する図柄は「ベル」である。
【００７７】
図１３において、中央のリール３Ｃの「停止制御位置」は、コードナンバー“０３”、“０７”、“１１”、“１５”又は“１９”のいずれかであり、これらに対応する図柄は、「ベル」である。
【００７８】
図１３において、右のリール３Ｒの「停止制御位置」は、コードナンバー“０１”、“０５”、“１０”、“１４”又は“１８”のいずれかであり、これらに対応する図柄は、「ベル」である。
【００７９】
以上のように、図１３に示す当り用停止制御テーブルが各リール３Ｌ、３Ｃ、３Ｒの停止制御に使用された場合には、センターライン８ａの位置、すなわち表示窓４Ｌ、４Ｃ、４Ｒ内の中央の位置に「ベル」が停止表示され、入賞が成立することとなる。
【００８０】
図１４は、順押し・中押しはずれ用停止制御テーブルを示す。このテーブルは、「ベルの小役」に内部当選した後、「ベル−ベル−ベル」が有効ラインに沿って並ばないように（ベルの小役の入賞が不成立となるように）リールを停止制御する際に使用される。ここで、左のリール３Ｌ及び中央のリール３Ｃの停止操作位置に対する停止制御位置は、図１３に示すものと同じである。
【００８１】
図１４において、右のリール３Ｒの「停止制御位置」は、コードナンバー“０２”、“０６”、“１１”、“１５”又は“１９”のいずれかであり、これらに対応する図柄は、「Ｒｅｐｌａｙ」である。
【００８２】
以上のように、図１４に示す順押し・中押しはずれ用停止制御テーブルが各リール３Ｌ、３Ｃ、３Ｒの停止制御に使用された場合には、表示窓４Ｌ、４Ｃ内の中央の位置に「ベル」が停止表示され、表示窓４Ｒ内の中央の位置に「Ｒｅｐｌａｙ」が停止表示されるので、ベルの小役の入賞が不成立となる。
【００８３】
図１５は、逆押しはずれ用停止制御テーブルを示す。このテーブルは、「ベルの小役」に内部当選した後、「ベル−ベル−ベル」が有効ラインに沿って並ばないように（ベルの小役の入賞が不成立となるように）リールを停止制御する際に使用される。ここで、中央のリール３Ｃ及び右のリール３Ｒの停止操作位置に対する停止制御位置は、図１３に示すものと同じである。
【００８４】
図１５において、左のリール３Ｌの「停止制御位置」は、コードナンバー“０４”、“０９”、“１２”、“１７”又は“２０”のいずれかであり、これらに対応する図柄は、「Ｒｅｐｌａｙ」である。
【００８５】
以上のように、図１５に示す逆押しはずれ用停止制御テーブルが各リール３Ｌ、３Ｃ、３Ｒの停止制御に使用された場合には、左の表示窓４Ｌ内の中央の位置に「Ｒｅｐｌａｙ」が停止表示され、表示窓４Ｃ、４Ｒ内の中央の位置に「ベル」が停止表示されるので、ベルの小役の入賞が不成立となる。
【００８６】
ここで、実施例では、前述のように停止順序として「６種類」を採用し、テーブル番号に応じて、いずれか一の順序で停止操作が行われたときにのみ、「ベル−ベル−ベル」が有効ラインに沿って並び、入賞が成立するようにしている。このため、第２停止操作が行われたときに、「ベル−ベル−ベル」が有効ラインに沿って並ぶか否かが確定する場合がある。例えば、テーブル番号として“１（対応する停止順序は「左中右」）”が採用され、第１停止操作として左のリール３Ｌが操作された場合である。すなわち、第１停止操作が行われた場合、必ずしも「ベル−ベル−ベル」が有効ラインに沿って並ぶか否かが明らかではない場合がある。また、実施例では、「ベル−ベル−ベル」は、必ずセンターライン８ａに沿って並ぶこととしている。そこで、実施例では、図１４及び図１５に示すように、２つのはずれ用の停止制御テーブルを使用することとしている。なお、テーブル番号が“２”、“３”、“４”、“５”、又は“６”の場合には、各々「左右中」、「中左右」、「中右左」、「右左中」、又は「右中左」で停止操作を行うことにより、ベルの小役の入賞が成立するようになっている。
【００８７】
図１６は、「通常開始音選択テーブル」と「サービス時間中開始音選択テーブル」を示したものである。この乱数範囲は、０〜１２７である。この開始音とは、ゲーム開始とともに出音される音である。ここで、通常とは、サービス時間中以外の時間のことを指している。
【００８８】
（ａ）に示した通常開始音選択テーブルで選択される可能性のある開始音は全部で３種類設けられている。このテーブルでは、抽出された乱数値から、上の行から順に抽選値を減算し、負になった行の開始音を出音するようにしている。例えば、抽出された乱数値が“９８”の場合、まず、この“９８”から抽選値“２”が減算され、“９６”となる。この値は正なので、更に次の抽選値である“１２４”が減算され、“−２８”となる。ここで負となることから、この場合は開始音２が選択される。
【００８９】
（ｂ）に示したサービス時間中開始音選択テーブルで選択される可能性のある開始音は全部で４種類設けられ、通常開始音選択テーブルより１種類多くなっている。つまり、開始音４が出音された場合に、遊技者は、現在サービス時間中であることを認識することができる。また、サービス時間中開始音選択テーブルでは、通常開始音選択テーブルより開始音１と開始音３の選択される割合が高くなっており、頻繁にこれらの音が出音されると、遊技者はサービス時間中にあることを期待して遊技を進めることができる。また、乱数抽選の方法は上述と同様である。
【００９０】
図１７は、スーパービッグ発生選択テーブルについて示した図である。このテーブルは、サービス時間中以外のときにＢＢが内部当選した場合に参照されるものであり、そのＢＢをスーパービッグにするか、ノーマルビッグにするかを選択するためのものである。また、乱数抽選の方法は上述と同様である。
【００９１】
図１８、図１９および図２０にコマンド表について説明する。これらのコマンドは、主制御回路８１から副制御回路８２に送信されるものであり、この送信は主制御回路８１から副制御回路８２への一方向の送信のみである。主制御回路８１から副制御回路８２の間は１６本のデータ信号線と１本の信号線で接続されている。そして、これらのコマンドは２バイト、４バイトまたは６バイト構成になっており、１６本のデータ信号線で送信するために１、２または３シーケンスで１つのコマンドとして送信している。
【００９２】
これらコマンドのうち、スタートコマンドについて説明すると、このゲームの内部当選役の種別、遊技状態、および内部当選役がベルである場合に選択された停止制御テーブルナンバーが一つのコマンドとして送信される。その他のコマンドについても同様である。また、図１８、図１９および図２０に示したコマンドは、その一例であり、これら以外にも副制御回路で行う制御に必要な情報の送信を行っている。
【００９３】
次に、主制御回路８１のＣＰＵ４１の制御動作について、図２１〜図２７に示すメインフローチャートを参照して説明する。
【００９４】
初めに、電源が投入され（ステップ［以下、ＳＴと表示する］１）、ＣＰＵ４１は、全出力ポートを初期化する（ＳＴ２）。続いて、パワーダウンエラーであるか否かを判断する（ＳＴ３）。ここで、パワーダウンエラーの場合は、ＳＴ２の処理に移り、パワーダウンエラーでない場合は、ＳＴ４の処理に移る。ＳＴ４の処理では、ＣＰＵ４１の初期化が行われる。続いて、ＲＡＭエラーであるか否かを判断する（ＳＴ５）。ここで、ＲＡＭエラーの場合には、ＲＡＭエラーの表示を行う。具体的には、７セグメントＬＥＤにより構成されるメダル払い出し表示器に「ｒｒ」という表示を行う。なお、ＲＡＭエラーとは、ＲＡＭ７８が正常に読み書きできない不具合をいう。
【００９５】
そして、ＲＡＭエラーでない場合には、設定用鍵型スイッチが「オン」であるか否かを判断する（ＳＴ６）。設定用鍵型スイッチが「オン」のときは、６段階の設定処理を行った後、ＳＴ１２の処理に移る。また、設定用鍵型スイッチが「オフ」のときは、ＳＴ８の処理に移る。ＳＴ８の処理では、バッテリーバックアップが正常であるか否かを判断する。バッテリーバックアップが正常のときは、戻り番地、ＲＡＭ７８の未使用領域をクリアした後、全レジスタを電源遮断時の出力状態に復帰させ（ＳＴ９）、入力ポートを電源復帰時の状態に更新し、電源遮断時の状態に復帰する（ＳＴ１０）。
【００９６】
バッテリーバックアップが正常でないときは、設定値の初期値をセットする（ＳＴ１１）。続いて、ＲＡＭ７８の全領域をクリアする（ＳＴ１２）。ここで、ＳＴ１２以下の処理は、ＳＴ６の判断において設定用鍵型スイッチが「オン」のとき、６段階の設定処理を経由した場合にも行われる。続いて、各設定値を格納し（ＳＴ１３）、通信データの初期化を行う（ＳＴ１４）。それから、ＣＰＵ４１は、遊技終了時のＲＡＭ７８をクリアする（ＳＴ１５）。続いて、メダルの自動投入の要求があるか否かを判断する（ＳＴ１６）。自動投入の要求がある場合とは、前の遊技において再遊技の入賞が成立した場合である。メダルの自動投入の要求があるときは、投入要求分のメダルを自動投入し（ＳＴ１７）、副制御回路に遊技メダル投入コマンドを送信した後、ＳＴ２０の処理に移る。メダルの自動投入の要求がないときは、メダル投入口及びベットボタンからのメダルの投入を受け付け（ＳＴ１９）、ＳＴ２０の処理に移る。
【００９７】
ＳＴ２０の処理では、スタートレバーが「オン」か否かを判断し、スタートレバーが「オン」のときは、前遊技から４．１秒経過しているか否かを判断する（ＳＴ２１）。具体的には、後述のＳＴ２４の処理でセットされる一遊技監視用タイマの値に基づいて判断する。前遊技から４．１秒経過していないときは、遊技開始待ち時間を消化し（ＳＴ２２）、ＳＴ２３の処理に移る。
【００９８】
ＳＴ２３の処理では、ＣＰＵ４１は、抽選用の乱数を抽出する。具体的には、０〜１６３８３の範囲から乱数を抽出する。続いて、一遊技監視用タイマをセットし（ＳＴ２４）、現在の遊技状態を判断するための遊技状態監視処理を行う（ＳＴ２５）。次に、確率抽選処理を行う（ＳＴ２６）。この確率抽選処理では、ＳＴ２３の処理で抽出された乱数値、及び遊技状態監視処理で判断した現在の遊技状態に対応した確率抽選テーブルに基づいて、内部当選役を決定する。確率抽選テーブルは、上述した通り各入賞役毎に内部当選となる乱数値が予め定められている。
【００９９】
次に、ＣＰＵ４１は、当り表示ランプ点灯抽選処理を行い（ＳＴ２７）、停止制御テーブル選択処理（この停止制御テーブル選択処理についての詳しい説明は後述する）を行う（ＳＴ２８）。そして、遊技開始時の送信処理としてスタートコマンドを副制御回路に送信し（ＳＴ２９）、リール回転開始用に初期化する（ＳＴ３０）。
【０１００】
次に、ＣＰＵ４１は、停止ボタンが「オン」であるか否かを判断し（ＳＴ３１）、停止ボタンが「オン」のときは、ＳＴ３３の処理に移り、停止ボタンが「オフ」のときは、ＳＴ３２の処理に移る。ＳＴ３２の処理では、自動停止タイマの値が「０」であるか否かを判断し、自動停止タイマの値が「０」のときは、ＳＴ３３の処理に移り、自動停止タイマの値が「０」でないときは、ＳＴ３１の処理に移る。ＳＴ３３の処理では、当選要求（内部当選役のこと）、図柄位置（停止操作時におけるリールの回転位置）、選択されている停止制御テーブル等から滑りコマ数を決定する。
【０１０１】
そして、ＳＴ３３の処理で決定された滑りコマ数分、リールを回転させる（ＳＴ３４）。次に、そのリールの停止要求をセットし（ＳＴ３５）、副制御回路にリール停止コマンドを送信する（ＳＴ３６）。
【０１０２】
そして、全てのリールが停止したか否かを判断する（ＳＴ３７）が、全てのリールが停止したときは、ＳＴ３８の処理に移り、全てのリールが停止していないときは、ＳＴ３１の処理に移る。そして、遊技終了時の演出処理を行った（ＳＴ３８）後に、入賞検索を行う（ＳＴ３９）。続いて、入賞フラグが正常であるか否かを判断し（ＳＴ４０）、入賞フラグが正常な場合には、ＳＴ４２の処理に移り、入賞フラグが正常でない場合には、イリーガルエラーの表示を行い（ＳＴ４１）、処理を中断する。
【０１０３】
ＳＴ４２では、入賞枚数０であるか否かを判断する。具体的には、いずれかの役（再遊技を除く）の入賞が成立したか否かを判断する。入賞が成立したときは、状態（ＢＢ作動中或いはＲＢ作動中であるか否か）及び入賞役に応じてメダルの貯留または払い出しを行う（ＳＴ４３）。
【０１０４】
次に、ＣＰＵ４１は、ＢＢ、ＲＢ作動中であるか否かを判断し（ＳＴ４４）、ＢＢ、ＲＢ作動中のときは、ＳＴ４５の処理に移り、ＢＢ、ＲＢ作動中でないときは、ＳＴ４８の処理に移る。ＳＴ４５の処理では、ＢＢ、ＲＢ遊技数チェック処理を行い、ＢＢの終了時であるか否かを判断する（ＳＴ４６）。ＢＢ終了のときは、ＢＢ終了コマンドを送信した後、ＢＢ終了時におけるＲＡＭクリアの処理を行い（ＳＴ４７）、ＳＴ４９の処理に移る。ＳＴ４６において、ＢＢ終了でないときはＳＴ４９の処理に移る。ＳＴ４４においてＢＢ、ＲＢ作動中でないときは、ＢＢ、ＲＢ入賞チェック処理（ＳＴ４８）を行い、ＳＴ４９の処理に移る。ＳＴ４９の処理では、ボーナス７ＳＥＧ制御処理を行い、ＳＴ１５の処理に移る。
【０１０５】
次に、ＳＴ２８で行われる停止制御テーブル選択処理について説明する。初めに、ＣＰＵ４１はこのゲームの内部当選役がベルか否かの判断をする（ＳＴ５０）。このゲームの内部当選役がベルのときはＳＴ５１の処理に移り、このゲームの内部当選役がベルでないときはＳＴ５２の処理に移る。ＳＴ５１の処理では乱数値を抽出し、停止制御テーブル選択テーブルに基づいて、停止制御テーブルを１つ選択する。また、ＳＴ５２の処理では内部当選役毎に予め定められている停止制御テーブルを選択する。
【０１０６】
次に、図２８〜図３４を参照して、副制御回路８２の制御処理について説明する。
【０１０７】
まず、図２８および図２９は、副制御回路の処理の概略について説明したものである。初めに、サブＣＰＵ８４は、設定変更中コマンドを受信したか否か、すなわち主制御回路において設定変更中であるか否かを判別する（ＳＴ１０１）。設定変更中コマンドを受信した場合、ホールサポートメニュー表示処理を行い（ＳＴ１０２）、設定変更終了コマンドを受信したら（ＳＴ１０３）、すなわち主制御回路において設定変更が終了したら、ホールサポートメニュー表示処理を終了させ、ＳＴ１０４に移行する。
【０１０８】
ＳＴ１０４では、スタートコマンドを受信したか否か、すなわち一遊技が開始されたか否かを判別する。この判別でスタートコマンドを受信した場合には、開始音選択処理（ＳＴ１０４）、スーパービッグ発生選択処理（ＳＴ１０５）、ＢＢ中演出処理（ＳＴ１０７）を順次行い、処理を復帰させる。
【０１０９】
ＳＴ１０４においてスタートコマンドを受信していない場合には、ボーナス遊技状態変更指示コマンドを受信したか否か（ＳＴ１０８）を判別する。ボーナス遊技状態変更指示コマンドを受信した場合には、ＢＢ終了処理を行い（ＳＴ１０９）、再びＳＴ１０１の処理に戻る。また、ＳＴ１０８において、ボーナス遊技状態変更指示コマンドを受信していない場合は、ＳＴ１０９の処理を行わず、ＳＴ１０１の処理に戻る。
【０１１０】
図３０（ａ）は、ＳＴ１０２に示したホールサポートメニューについて示したものである。まず、メニューが選択されたか否かを判断する（ＳＴ１２１）。ここで、メニューの選択されるか、若しくは主制御回路８１の設定変更が終了するまで、図８に示したような画面を表示する。そして、メニューが選択された場合には、選択されたメニューを表示し（ＳＴ１２２）、選択されたメニュー毎の処理を行い（ＳＴ１２３）、この処理が終了したら、処理を復帰させる。
【０１１１】
図３０（ｂ）は、ホールサポートメニューでサービス時間設定メニューが選択された場合の処理について示したものである。まず、ＳＴ１２１でサービス時間設定メニューが選択された場合、図９に示したようなサービス時間選択画面を表示する（ＳＴ１２４）。この画面の表示は、ゲーム数等の各設定が選択され、×ボタンが押下されるまで、若しくは主制御回路８１の設定変更が終了するまで、行われる。そして、×ボタンが押下されたところで、これらの設定をＲＡＭの所定領域に格納し（ＳＴ１２６）、処理を復帰させる。
【０１１２】
図３１は、ＳＴ１０５に示した開始音選択処理について示したものである。この処理では、まず、現在の時刻がサービス時間内か否かを判断する（ＳＴ１３１）。サービス時間外の場合は、図１６（ａ）に示した通常開始音選択テーブルに基づいて開始音を選択する（ＳＴ１３２）。そして、サービス時間内の場合には、図１６（ｂ）に示したサービス時間中開始音選択テーブルに基づいて開始音を選択する（ＳＴ１３３）。そして、選択された開始音を出音し（ＳＴ１３４）、処理を復帰させる。
【０１１３】
図３２は、ＳＴ１０６に示したスーパービッグ発生選択処理について示したものである。まず、このゲームでＢＢに内部当選したか否かを判断する（ＳＴ１４１）。そして、ＢＢに内部当選した場合には、現在の時刻がサービス時間内であるか否かを判断する（ＳＴ１４２）。ここで、現在の時刻がサービス時間内でない場合には、スーパービッグ発生選択テーブルに基づいて乱数抽選し、スーパービッグに当選した場合には、スーパービッグフラグをＯＮにする（ＳＴ１４５）。また、ＳＴ１４２の判断で、現在の時刻がサービス時間内である場合には、スーパービッグ発生選択テーブルに基づく乱数抽選を行わず、必ずスーパービッグフラグをＯＮにし、処理を復帰させる。
【０１１４】
図３３は、ＳＴ１０７に示したＢＢ中演出処理について示した図である。この処理では、まず、ＢＢ中一般遊技中か否かを判断する（ＳＴ１５１）。そして、ＢＢ中一般遊技中の場合には、スーパービッグフラグがＯＮか否かを判断する（ＳＴ１５２）。スーパービッグフラグのＯＮの場合には、内部当選役がベルか否かを判断し、内部当選役がベルの場合には、選択されている停止テーブルに基づいて押し順を報知する（ＳＴ１５４）。つまり、スーパービッグ中にベルが内部当選した場合には、入賞させるための押し順が報知されることから、ベルを確実に入賞させることができるようになる。また、ＢＢ中一般遊技でない場合、スーパービッグでない場合、内部当選役がベルでない場合には、押し順の報知を行わずに処理を復帰させる。
【０１１５】
図３４は、ＳＴ１０９に示したＢＢ終了処理について示したものである。この処理では、ＢＢ中一般遊技を３０ゲーム消化してもＲＢに入賞せず終了した場合、またはＢＢ中の３回目のＲＢが終了した場合にスーパービッグフラグをＯＦＦにし、ＢＢ間ゲーム数カウンタをクリアするようにしている。つまり、一回のＢＢが終了した場合には、必ずこれらの処理を行うようにしている。
【０１１６】
以上、実施例について説明したが、本発明はこれに限られるものではない。実施例では、演出の説明を開始音を用いて説明したが、その他の種々の音で行っても良いし、音に限らず、液晶表示器による画像演出等を行うようにしても良い。
【０１１７】
また、実施例で示したテーブルを参照する乱数値の抽出タイミングは任意のタイミングで行うことができる。そして、サービス時間の設定を時刻に基づいて設定するようにしたが、開店からの経過時間によって設定する等してもよい。
【０１１８】
また、スーパービッグの実施例として、押し順の違いによって入賞の成否が決まるものに対して、その押し順を報知するようにしたが、これ以外に内部当選役を報知するものを採用するようにしても良い。
【０１１９】
更に、本実施例のようなスロットマシンの他、パチンコ遊技機等の他の遊技機にも適用することができる。更に、このような遊技機の動作を家庭用ゲーム機用として擬似的に実行するようなゲームプログラムにも適用してゲームを実行することができる。その場合、ゲームプログラムを記録する記録媒体は、ＣＤ−ＲＯＭ、ＦＤ（フレキシブルディスク）等、任意の記録媒体を利用できる。
【０１２０】
【発明の効果】
以上、説明したように本発明によれば、停止操作補助付きＢＢ（スーパービッグ）と、停止操作補助無しＢＢ（ノーマルビッグ）との振り分けを行うようにした遊技機において、所定の時刻であったときにＢＢが当選した場合には、必ず停止操作情報を報知するようにし、その時刻の設定を遊技台毎に設定可能にしたことから、遊技店側の要求に対応するように予め所望の時刻に設定しておくことで、遊技店毎に独自のサービスを遊技者に提供することができるようになる。
【図面の簡単な説明】
【図１】本発明の実施形態によるスロットマシンの外観を示す斜視図である。
【図２】本発明の実施形態によるスロットマシンの外観を示す正面図である。
【図３】本発明の実施形態によるスロットマシンの電気回路の構成を示すブロック図である。
【図４】本発明の実施形態によるスロットマシンの副制御回路の構成を示すブロック図である。
【図５】リール上に配列された図柄列を示した図である。
【図６】入賞図柄組合せに対応する入賞役及び払い出し枚数を示す図である。
【図７】停止順序を報知する画像の例を示した図である。
【図８】ホールサポートメニューの選択画面の例を示した図である。
【図９】サービス時間設定メニューの画面の例を示した図である。
【図１０】確率抽選テーブルを示した図である。
【図１１】停止制御テーブルナンバー選択テーブルを示した図である。
【図１２】各停止テーブルナンバー毎の押し順と入賞成立不成立の対応を示した図である。
【図１３】停止制御テーブルの例を示した図である。
【図１４】停止制御テーブルの例を示した図である。
【図１５】停止制御テーブルの例を示した図である。
【図１６】通常開始音選択テーブルと、サービス時間中開始音選択テーブルを示した図である。
【図１７】スーパービッグ発生選択テーブルを示した図である。
【図１８】主制御回路から副制御回路に送信されるコマンドの例を示した図である。
【図１９】主制御回路から副制御回路に送信されるコマンドの例を示した図である。
【図２０】主制御回路から副制御回路に送信されるコマンドの例を示した図である。
【図２１】主制御回路の処理を示すフローチャートである。
【図２２】主制御回路の処理を示すフローチャートである。
【図２３】主制御回路の処理を示すフローチャートである。
【図２４】主制御回路の処理を示すフローチャートである。
【図２５】主制御回路の処理を示すフローチャートである。
【図２６】主制御回路の処理を示すフローチャートである。
【図２７】停止制御テーブル選択処理を示すフローチャートである。
【図２８】副制御回路の処理を示すフローチャートである。
【図２９】副制御回路の処理を示すフローチャートである。
【図３０】ホールサポートメニュー表示処理と、サービス時間選択画面表示処理を示すフローチャートである。
【図３１】開始音選択処理を示すフローチャートである。
【図３２】スーパービッグ発生選択処理を示すフローチャートである。
【図３３】ＢＢ中演出処理を示すフローチャートである。
【図３４】ＢＢ終了処理を示すフローチャートである。
【符号の説明】
１　遊技機
２　キャビネット
２ａ　パネル表示部
３Ｌ，３Ｃ，３Ｒ　リール
４Ｌ，４Ｃ，４Ｒ　表示窓
５　液晶表示装置
５ａ　液晶表示画面
６　スタートレバー
７Ｌ，７Ｃ，７Ｒ　停止ボタン
１０　台座部
１１　１−ＢＥＴスイッチ
１２　２−ＢＥＴスイッチ
１３　最大−ＢＥＴスイッチ
１４　貯留メダル精算スイッチ
１５　遊技メダル払出口
１６　遊技メダル受け部
１７　ＷＩＮランプ
１８　払い出し表示部
１９　遊技メダル貯留枚数表示部
２０　役物作動回数表示部
２１Ｌ，２１Ｒ　スピーカ
２２　メダル投入口
２３　配当表パネル
２４　遊技メダル投入ランプ
２５　遊技開始表示ランプ
２６　十字ボタン
２７　○ボタン
２８　×ボタン
２９　ドア開閉および打ち止め解除装置
３１　遊技停止表示器
３２　再遊技表示器
３３　ＲＢ作動表示器
３４　ＢＢ作動表示器
【図１】
2004049461.tif 000003
【図２】
2004049461.tif 000004
【図３】
2004049461.tif 000005
【図４】
2004049461.tif 000006
【図５】
2004049461.tif 000007
【図６】
2004049461.tif 000008
【図７】
2004049461.tif 000009
【図８】
2004049461.tif 000010
【図９】
2004049461.tif 000011
【図１０】
2004049461.tif 000012
【図１１】
2004049461.tif 000013
【図１２】
2004049461.tif 000014
【図１３】
2004049461.tif 000015
【図１４】
2004049461.tif 000016
【図１５】
2004049461.tif 000017
【図１６】
2004049461.tif 000018
【図１７】
2004049461.tif 000019
【図１８】
2004049461.tif 000020
【図１９】
2004049461.tif 000021
【図２０】
2004049461.tif 000022
【図２１】
2004049461.tif 000023
【図２２】
2004049461.tif 000024
【図２３】
2004049461.tif 000025
【図２４】
2004049461.tif 000026
【図２５】
2004049461.tif 000027
【図２６】
2004049461.tif 000028
【図２７】
2004049461.tif 000029
【図２８】
2004049461.tif 000030
【図２９】
2004049461.tif 000031
【図３０】
2004049461.tif 000032
【図３１】
2004049461.tif 000033
【図３２】
2004049461.tif 000034
【図３３】
2004049461.tif 000035
【図３４】
2004049461.tif 000036